(57)【要約】      【課題】  ユーザに経済的負担を強いることなく、且つ、場所の拘束及び作業負担も軽減させる。      【解決手段】  携帯端末データ預かりシステムに、識別情報を有した複数の携帯端末と、複数の携帯端末の各々とネットワークを介して接続され、それらに記憶された携帯端末データの各々を、バックアップする為に、複数の携帯端末の各々からのアップロードによって取得し、それぞれの該識別情報に関連付けて蓄積した携帯端末データベースを有したサーバとを備える。【選択図】      図３
2006203512.tif 000002
【特許請求の範囲】
【請求項１】
識別情報を有した複数の携帯端末と、
複数の前記携帯端末の各々とネットワークを介して接続され、それらに記憶された携帯端末データの各々を、バックアップする為に、複数の前記携帯端末の各々からのアップロードによって取得し、それぞれの該識別情報に関連付けて蓄積した携帯端末データベースを有したサーバとを備えたこと、を特徴とする携帯端末データ預かりシステム。
【請求項２】
前記携帯端末が、該識別情報と共に、該携帯端末データのダウンロードを要求する要求信号を前記サーバに送信すると、前記サーバが、該要求信号に呼応し、取得した該識別情報に基づいて前記携帯端末データベースの中から該当する該携帯端末データを抽出して当該携帯端末に送信すること、を特徴とする請求項１に記載の携帯端末データ預かりシステム。
【請求項３】
前記サーバは、複数の前記携帯端末の各々に対し、該識別情報と関連付けられたパスワードを発行し、前記携帯端末からの該パスワードの認証を成功したときのみ、当該携帯端末に対する該携帯端末データのアップロード又はダウンロードを許可すること、を特徴とする請求項２に記載の携帯端末データ預かりシステム。
【請求項４】
前記携帯端末が携帯電話であること、を特徴とする請求項１から請求項３のいずれかに記載の携帯端末データ預かりシステム。
【請求項５】
該携帯端末データが少なくともアドレス帳のデータを含んだこと、を特徴とする請求項１から請求項４のいずれかに記載の携帯端末データ預かりシステム。
【請求項６】
請求項１から請求項５のいずれかに記載の携帯端末データ預かりシステムと、
複数の前記携帯端末の各々のユーザに貸し出す為の複数の貸出用携帯端末とを備えた携帯端末貸し出しシステムであって、
前記サーバで該識別情報に基づいて前記携帯端末データベースの中から抽出された該携帯端末データを、前記貸出用携帯端末に格納すること、を特徴とする携帯端末貸し出しシステム。
【発明の詳細な説明】
【技術分野】
【０００１】
この発明は、所定のデータを有する携帯端末と、該携帯端末のデータを管理するサーバとを備えた携帯端末データ預かりシステム、及び、携帯端末貸し出しシステムに関する。
【背景技術】
【０００２】
近年、携帯電話に代表される携帯端末が、広く普及し、日常生活に欠かせないものになりつつある。このような携帯端末に記憶されたデータ（例えばアドレス帳のデータ）は、その使用頻度が極めて高く、日常的に使用可能な状態にあることが望ましい。この為、携帯端末に不具合が発生してデータを使用できなくなる場合や、誤ってデータを削除してしまう場合等を想定し、そのデータをバックアップする為の装置やシステムが種々提案され、又は、実用に供されている（例えば特許文献１や２）。
【特許文献１】特開２００２−３５９６９４号公報
【特許文献２】特開平１１−１５７６２号公報
【０００３】
例えば特許文献１に記載された装置やシステムでは、パーソナル・コンピュータと携帯電話とを有線ケーブルで接続することによってデータ転送を可能とし、携帯電話のデータのバックアップや、パーソナル・コンピュータからのバックアップデータの引き出し等を実行可能としている。
【０００４】
また、特許文献２に記載された装置やデータ管理方式では、例えばデスクトップ・コンピュータ等と携帯情報端末とを無線通信可能に構成してデータ転送を可能とし、携帯情報端末のデータのバックアップや、デスクトップ・コンピュータからのバックアップデータの引き出し等を実行可能としている。
【発明の開示】
【発明が解決しようとする課題】
【０００５】
しかしながら、例えば上記特許文献１に示されたような装置やシステムを利用する為にはデータ転送専用のケーブルが必要になる。また、上記特許文献２に示されたような装置やデータ管理方式を利用する為には、携帯情報端末とデスクトップ・コンピュータの双方に赤外線通信部等の専用の通信手段を設ける必要がある。すなわちユーザは、これらの装置やシステムを利用する為に専用の装置を購入する必要があり、経済的負担を強いられ得た。
【０００６】
またさらに、ユーザは、上記特許文献に示されたような装置やシステムを利用する為に、自宅等の決められた場所でパーソナル・コンピュータ等のホストを起動させる必要がある。すなわちユーザは、場所を縛られると共にデータをバックアップする為に煩雑な作（すなわちホストの起動）を強いられ得た。
【０００７】
そこで、本発明は上記の事情に鑑み、ユーザに経済的負担を強いることなく（又は軽減し）、且つ、場所の拘束及び作業負担の軽減を実現し得る携帯端末データ預かりシステムを提供することを目的とする。
【０００８】
また、先に記載されたように携帯端末が日常生活に欠かせない観点から、ユーザは、携帯端末に依存し、例えば取引先の電話番号等を、携帯端末に記憶させて自分では記憶していないことが考えられる。この場合、例えば外出したときに携帯端末を所持し忘れるとその連絡先が分からず、その日のスケジュールに問題が生じることが想定され得る。本発明は、このような問題を解消する為に、ここで提案される携帯端末データ預かりシステムを利用した携帯端末貸し出しシステムを提供することも目的とする。
【課題を解決するための手段】
【０００９】
上記の課題を解決する本発明の一態様に係る携帯端末データ預かりシステムは、識別情報を有した複数の携帯端末と、複数の携帯端末の各々とネットワークを介して接続され、それらに記憶された携帯端末データの各々を、バックアップする為に、複数の携帯端末の各々からのアップロードによって取得し、それぞれの該識別情報に関連付けて蓄積した携帯端末データベースを有したサーバとを備えたものである。
【００１０】
なお、携帯端末が、該識別情報と共に、該携帯端末データのダウンロードを要求する要求信号をサーバに送信すると、サーバが、該要求信号に呼応し、取得した該識別情報に基づいて携帯端末データベースの中から該当する該携帯端末データを抽出して当該携帯端末に送信し得る。また、サーバは、複数の携帯端末の各々に対し、該識別情報と関連付けられたパスワードを発行することができ、携帯端末からの該パスワードの認証を成功したときのみ、当該携帯端末に対する該携帯端末データのアップロード又はダウンロードを許可し得る。
【００１１】
上記携帯端末データ預かりシステムでは、携帯端末が携帯電話であっても良い。
【００１２】
また、上記携帯端末データ預かりシステムでは、該携帯端末データが少なくともアドレス帳のデータを含んだものであっても良い。
【００１３】
また、上記の課題を解決する本発明の一態様に係る携帯端末貸し出しシステムは、上述したいずれかの携帯端末データ預かりシステムと、複数の携帯端末の各々のユーザに貸し出す為の複数の貸出用携帯端末とを備えたものであり、サーバで該識別情報に基づいて携帯端末データベースの中から抽出された該携帯端末データを、貸出用携帯端末に格納する。
【発明の効果】
【００１４】
本発明の携帯端末データ預かりシステムを採用すると、ユーザは、携帯端末データをバックアップする為に、専用の装置を新たに購入する必要がなく、経済的負担を強いられることがない。さらに、アップロードやダウンロードする場所を拘束されることなく、且つ、専用ケーブルの接続やコンピュータの起動等の煩雑な作業もなくなり、作業負担も軽減され得る。
【００１５】
また、本発明の携帯端末貸し出しシステムを採用すると、ユーザは、携帯端末を自宅に置き忘れた場合であっても、それと実質的に同一又は同様のデータを有した携帯端末を借りることができる。従って、携帯端末のデータを必要とするような用事（例えば連絡すべき相手への連絡等）がある場合であっても特に支障が生じない。
【発明を実施するための最良の形態】
【００１６】
以下、図面を参照して、本発明の実施例の携帯端末データ預かりシステム、及び、当該システムを備えた携帯端末貸し出しシステムについて説明する。
【実施例１】
【００１７】
図１は、本発明の実施例１の携帯端末データ預かりシステム１００の構成を示した図である。本実施例１の携帯端末データ預かりシステム１００は、サーバ１０、通信網５０、複数の携帯端末Ｍ１〜Ｍｎ、及び、複数の端末ＰＣ１〜ＰＣｍから構成されている。
【００１８】
サーバ１０は、ネットワークに接続され、主としてユーザの所有する携帯端末Ｍ１〜Ｍｎのデータを管理する携帯端末データ預かりサービスを実行し得る。また、通信網５０は、サーバ１０と、様々な通信機器（携帯端末Ｍ１〜Ｍｎ及び端末ＰＣ１〜ＰＣｍを含む）との接続を果たし得る。なお、当サービスは、キャリアが提供するものであっても良く、或いは、キャリアに委託された代行業者等が提供するものであっても良い。また、当サービスは、無料で提供され得るものであっても、有料で提供され得るものであっても良い。
【００１９】
携帯端末Ｍ１〜Ｍｎは、例えば周知の携帯電話等の無線通信端末であり、各種操作を行う為の操作部、サーバ１０が提供し得る携帯端末データ預かりサービスのコンテンツ等を表示する表示画面、各種データを記憶するメモリ等を有している（いずれも不図示）。なお、各携帯端末Ｍ１〜Ｍｎは、図１において通信網５０と有線で接続されているように示されている。しかしながらこれは図面を簡略化する為であり、これらの携帯端末Ｍ１〜Ｍｎは、実際には、通信網５０に接続された基地局と無線で接続されている。
【００２０】
端末ＰＣ１〜ＰＣｍは、例えばユーザの自宅に設置されたパーソナル・コンピュータ等の端末であったり、本実施例１の携帯端末データ預かりサービスを提供し得る店舗（例えば、携帯電話会社の直営店や代理店、携帯電話会社と提携して当サービスを提供し得るコンビニエンスストア等）に設置された端末であったりする。
【００２１】
サーバ１０は、全体の制御を統括して実行する制御部１１、制御部１１が実行するプログラムやその他の各種データを記憶したメモリ１２、及び、本実施例１の携帯端末データ預かりサービスを利用するユーザ毎の情報を蓄積した携帯端末データベース１３を有している。
【００２２】
図２は、本実施例１の携帯端末データ預かりサービスにユーザが登録する際に、携帯端末データ預かりシステム１００において実行される登録処理を示した図である。なお、ここでは説明を簡略化する為に、携帯端末Ｍ１とサーバ１０との間で実行される処理を例に説明し、他の端末とサーバ１０との間で実行され得る同様の処理については省略する。
【００２３】
携帯端末データ預かりサービスに携帯端末Ｍ１を使用して登録する場合、ユーザは、先ず、携帯端末Ｍ１の操作部を操作して当サービスのサイトにアクセスする必要がある。アクセス方法としては、例えば、キャリアが提供する検索プログラムを利用して検索するか、若しくは、当サイトのアドレスを直接入力することが想定される。このような操作によって携帯端末Ｍ１がサーバ１０にアクセスし、当該アクセスが確立されると（ステップ１、以下ステップを「Ｓ」と略記）、その画面に、当サイトの例えばトップページが表示される。
【００２４】
サイトのトップページには、例えば、携帯端末データ預かりサービスについての説明や、当サービスに登録する為のリンク文字（例えば「登録」と表されている）等が表示されている。ここで、この「登録」のリンク文字をクリックすると、携帯端末Ｍ１は、登録フォームのコンテンツにアクセスすることができる。ユーザが、当コンテンツで提示される利用規約に同意し、登録フォームに従って、例えば、ユーザの名前や住所、携帯端末のメールアドレスや電話番号等を入力し（Ｓ２）、同コンテンツ内の入力データを送信する為のリンク文字（例えば「送信」と表されている）をクリックすると、当該入力データがサーバ１０に送信される（Ｓ３）。
【００２５】
サーバ１０の制御部１１は、上記入力データを受信して携帯端末Ｍ１のユーザに関する情報として携帯端末データベース１３に格納する（Ｓ４）。そして携帯端末Ｍ１のユーザ専用のＩＤ及びパスワードを作成し、これらの作成データを、携帯端末Ｍ１のユーザに関する情報として上記入力データと関連付けて携帯端末データベース１３に格納すると共に（Ｓ５）携帯端末Ｍ１に送信する（Ｓ６）。これにより、携帯端末Ｍ１のユーザは、携帯端末データ預かりサービスを利用する為のＩＤ及びパスワードを取得する（Ｓ７）。
【００２６】
なお、上記ＩＤは、携帯端末の電話番号やメールアドレスそのものであっても良く、或いは、登録フォームでユーザが任意に設定できるもの、若しくは、サーバ１０の制御部１１が所定のアルゴリズムで作成するものであっても良い。また、上記パスワードも、登録フォームでユーザが任意に設定できるもの、若しくは、サーバ１０の制御部１１が所定のアルゴリズムで作成するものであっても良い。
【００２７】
また、携帯端末データ預かりサービスへの登録は、自宅や、当サービスを提供し得る店舗で行うこともできる。例えば自宅で当サービスへの登録を行う場合、自宅のパーソナル・コンピュータを使用し、先の携帯端末Ｍ１と同様に、検索サイトの利用やアドレスの直接入力等によって当サービスのサイトにアクセスし、当サイトの登録フォームに必要事項を入力してそれをサーバ１０に送信すれば良い。これにより、サーバ１０側で先に説明されたＳ４及びＳ５の処理が実行され、自宅のパーソナル・コンピュータに当サービスを利用する為のＩＤ及びパスワードが発行される。
【００２８】
また、携帯端末データ預かりサービスへの登録を店舗で行う場合、例えば店舗で用意された申込用紙にユーザが必要事項を記入し、スタッフが、上記自宅の例と同様に店舗のコンピュータにユーザ情報を入力し、その入力データをサーバ１０に送信すれば良い。これにより、サーバ１０側で先に説明されたＳ４及びＳ５の処理が実行され、店舗のコンピュータに当サービスを利用する為のＩＤ及びパスワードが送信され、ユーザは、ＩＤ及びパスワードを取得することができる。なお、上記の如き店舗が例えばコンビニエンスストアの場合、レジスターや専用の装置等に専用プログラムを組み込み、それを利用して当サービスへの登録を実行できるようにしても良い。
【００２９】
次に、携帯端末データ預かりサービスに登録した携帯端末Ｍ１のユーザが、当該携帯端末Ｍ１の「携帯端末データ」をサーバ１０にアップロード（別の言い方をするとバックアップ）するアップロード処理について説明する。図３は、本実施例１の携帯端末データ預かりシステム１００において実行されるアップロード処理を示した図である。
【００３０】
サーバ１０に携帯端末Ｍ１の「携帯端末データ」をアップロードする場合、ユーザは、先ず、携帯端末Ｍ１を操作し、アップロードする為のコンテンツにアクセスする必要がある。当コンテンツにアクセスすると（Ｓ１１）、携帯端末Ｍ１の画面に、図２の登録処理で取得されたＩＤ及びパスワードの入力を要求すると共に、アップロードしたい「携帯端末データ」をチェックするリストが表示される。なお、当コンテンツに表示される所定のリンク文字（例えば「全データアップロード」等と表されている）をクリックすると、リスト内の全ての項目の「携帯端末データ」がアップロード対象のものとしてチェックされる。本実施例１でチェックされ得る「携帯端末データ」には、例えば、自身の電話番号及びメールアドレス、アドレス帳のデータ、画像データ、着信音等の音声データ、スケジュールデータ、メモ帳のデータ、ブックマークのデータ等がある。
【００３１】
上記コンテンツにおいてＩＤ及びパスワードの入力及びリストをチェックし（Ｓ１２）、同コンテンツの例えば下方に表示され得るデータ送信の為のリンク文字をクリックすると、携帯端末Ｍ１は、チェックされた項目の「携帯端末データ」を自身のメモリから抽出してＩＤ及びパスワードと共にサーバ１０に送信する（Ｓ１３）。
【００３２】
サーバ１０の制御部１１は、これらのデータを受信すると、そのＩＤ及びパスワードに基づいて携帯端末データベース１３を参照し、パスワード認証を実行する（Ｓ１４）。ここで、受信されたＩＤ及びパスワードが正しいものでないと判定した場合、制御部１１は、パスワード認証に失敗したことを通知するコンテンツデータを携帯端末Ｍ１に送信する（Ｓ１４：ＮＯ）。これにより、携帯端末Ｍ１の画面に、認証失敗の通知と共にＩＤ及びパスワードの再入力を要求するコンテンツが表示される。ここで、ユーザが携帯端末Ｍ１を操作してＩＤ及びパスワードを再入力して（Ｓ１５）送信すると（Ｓ１３）、制御部１１は、Ｓ１４の認証処理を再実行する。
【００３３】
また、受信されたＩＤ及びパスワードが正しいものであると判定した場合（Ｓ１４：ＹＥＳ）、サーバ１０の制御部１１は、パスワード認証成功と判断し、受信された「携帯端末データ」を、携帯端末Ｍ１のユーザに関する情報として上述した他の格納データ（ユーザの名前等の上記入力データや、ＩＤ、パスワード等）と関連付けて携帯端末データベース１３に格納する（Ｓ１６）。そして「携帯端末データ」のアップロード完了を通知するコンテンツデータを携帯端末Ｍ１に送信する（Ｓ１７）。これにより、携帯端末Ｍ１の画面にアップロード完了の通知が表示され、本実施例１のアップロード処理が終了し、携帯端末Ｍ１の「携帯端末データ」がサーバ１０にバックアップされたことになる。
【００３４】
なお、携帯端末Ｍ１に備えられた図示しない時計機能を利用し、「携帯端末データ」のアップロードを自動で定期的に実行できるようにしても良い。この場合、例えば携帯端末Ｍ１内の時計が所定の時刻（例えば午前０時等）になったとき、当該携帯端末Ｍ１がそれを検知し、サーバ１０と自動的に通信して「携帯端末データ」をアップデートする。このような処理を実行可能に携帯端末データ預かりシステム１００を構成すると、最新の「携帯端末データ」をサーバ１０に常にバックアップしておくことができると共に、アップデートに必要な煩雑な操作も不要になる。
【００３５】
次に、「携帯端末データ」をサーバ１０にアップロードした携帯端末Ｍ１のユーザが、そのデータをダウンロードする処理について説明する。図４は、本実施例１の携帯端末データ預かりシステム１００において実行されるダウンロード処理を示した図である。
【００３６】
携帯端末Ｍ１の「携帯端末データ」をサーバ１０からダウンロードする場合、ユーザは、先ず、携帯端末Ｍ１を操作し、ダウンロードする為のコンテンツにアクセスする必要がある。当コンテンツにアクセスすると（Ｓ２１）、携帯端末Ｍ１の画面に、図２の登録処理で取得されたＩＤ及びパスワードの入力を要求すると共に、ダウンロードしたい「携帯端末データ」をチェックするリストが表示される。なお、当コンテンツに表示される所定のリンク文字（例えば「全データダウンロード」等と表されている）をクリックすると、リスト内の全ての項目の「携帯端末データ」がダウンロード対象のものとしてチェックされる。
【００３７】
上記コンテンツにおいてＩＤ及びパスワードの入力及びリストをチェックし（Ｓ２２）、当該コンテンツの例えば下方に表示され得るデータ送信の為のリンク文字をクリックすると、携帯端末Ｍ１は、ＩＤ及びパスワードと共に、「携帯端末データ」のダウンロードを要求する信号を、サーバ１０に送信する（Ｓ２３）。
【００３８】
サーバ１０の制御部１１は、これらのデータを受信すると、そのＩＤ及びパスワードに基づいて携帯端末データベース１３を参照し、パスワード認証を実行する（Ｓ２４）。ここで、受信されたＩＤ及びパスワードが正しいものでないと判定した場合、制御部１１は、パスワード認証に失敗したことを通知するコンテンツデータを携帯端末Ｍ１に送信する（Ｓ２４：ＮＯ）。これにより、携帯端末Ｍ１の画面に、認証失敗の通知と共にＩＤ及びパスワードの再入力を要求するコンテンツが表示される。ここで、ユーザが携帯端末Ｍ１を操作してＩＤ及びパスワードを再入力して（Ｓ２５）送信すると（Ｓ２３）、制御部１１は、Ｓ２４の認証処理を再実行する。
【００３９】
また、受信されたＩＤ及びパスワードが正しいものであると判定した場合（Ｓ２４：ＹＥＳ）、サーバ１０の制御部１１は、パスワード認証成功と判断し、当該ＩＤ及びパスワードに基づいて携帯端末データベース１３を検索する。そして該当する「携帯端末データ」を、携帯端末データベース１３の中から抽出し（Ｓ２６）、携帯端末Ｍ１に送信する（Ｓ２７）。これにより、携帯端末Ｍ１の画面にダウンロード完了を通知が表示されると共に、ダウンロードされた「携帯端末データ」が携帯端末Ｍ１のメモリに上書きされる。
【００４０】
このようなアップロードやダウンロードを実行可能にすることにより、例えば携帯端末Ｍ１の不具合や「携帯端末データ」の誤消去等によってデータが不本意に失われた場合であっても問題が生じ得ない。また、ユーザは、専用の装置を新たに購入する必要がなく、経済的負担を強いられることがない。さらに、携帯端末Ｍ１を操作してアップロードやダウンロードできるため場所を拘束されることなく、且つ、専用ケーブルの接続やコンピュータの起動等の煩雑な作業もなくなり、ユーザの作業負担が軽減され得る。
【００４１】
なお、本実施例１では上述した各種処理（登録処理、アップロード処理、及び、ダウンロード処理）を携帯端末データ預かりサービスのサイトにアクセスしてから実行するようにしているが、別の実施例では、例えば携帯端末Ｍ１にインストールされ得る専用プログラムでこれらの処理を実行するようにしても良い。
【実施例２】
【００４２】
次に、上述した本実施例１の携帯端末データ預かりシステム１００を利用したシステムであって、携帯端末をユーザに貸し出す携帯端末貸し出しシステム２００について説明する。図５に、本実施例２の携帯端末貸し出しシステム２００の構成を示す。なお、図５の携帯端末貸し出しシステム２００において、図１の携帯端末データ預かりシステム１００と同一の構成には、同一の符号を付してここでの詳細な説明は省略する。
【００４３】
本実施例２の携帯端末貸し出しシステム２００は、サーバ１０ｙ、通信網５０、複数の携帯端末Ｍ１〜Ｍｎ、複数の端末ＰＣ１〜ＰＣｍ、及び、複数の貸出用携帯端末Ｒ１〜Ｒｚから構成されている。
【００４４】
サーバ１０ｙは、ネットワークに接続され、先の携帯端末データ預かりサービスに加え、携帯端末をユーザに貸し出す携帯端末貸し出しサービスを実施し得るものである。このサーバ１０ｙは、全体の制御を統括して実行する制御部１１ｙ、制御部１１ｙが実行するプログラムやその他の各種データを記憶したメモリ１２ｙ、携帯端末データ預かりサービスや携帯端末貸し出しサービスを利用するユーザ毎の情報を蓄積した携帯端末データベース１３ｙ、及び、貸出用携帯端末Ｒ１〜Ｒｚを管理する為の貸出用データベース１４ｙを有している。
【００４５】
制御部１１ｙは、先の携帯端末データ預かりサービス及び携帯端末貸し出しサービスを提供し得るよう、サーバ１０全体を統括的に制御する。なお、携帯端末データ預かりサービスを実行する際の制御に関しては、先の制御部１１と同様の制御を実行する。
【００４６】
また、メモリ１２ｙは、先の携帯端末データ預かりサービスを提供する為にメモリ１２に記憶されたものと同様のプログラムやその他の各種データを有すると共に、携帯端末貸し出しサービスを提供する為のプログラムやその他の各種データも有する。
【００４７】
また、携帯端末データベース１３ｙは、先の携帯端末データベース１３と同様のデータに加え、ユーザ毎の貸出用携帯端末の貸し出し状況に関するデータも蓄積し得る。
【００４８】
また、貸出用データベース１４ｙは、貸出用携帯端末Ｒ１〜Ｒｚを管理する為のデータを蓄積し得る。ここでの管理データは、貸出用携帯端末に関するデータを店舗毎に区分して管理したものであり、例えば、各店舗の貸出用携帯端末の総数及び機種、貸し出された携帯端末の数及び機種、残り（在庫）の携帯端末の数及び機種、それぞれの携帯端末の製造番号等である。
【００４９】
図６は、本実施例２の携帯端末貸し出しシステム２００において実行され得る携帯端末貸し出しサービスの流れを示した図である。なお、ここでは説明を簡略化する為に、ある店舗に設置された端末ＰＣ１とサーバ１０ｙとの間で実行される処理を例に説明し、他の端末とサーバ１０ｙとの間で実行され得る同様の処理については省略する。
【００５０】
例えば外出したユーザが、自宅に携帯端末を忘れたため店舗に携帯端末の貸し出しを要求したとする。ここで、店舗のスタッフは、端末ＰＣ１を操作し、携帯端末貸し出しサービスを提供する為の専用のプログラムを起動する（Ｓ３１）。なお、携帯端末貸し出しサービスをユーザに提供する為に、本実施例２では店舗に設置された端末ＰＣ１にインストールされた専用のプログラムを使用するが、別の実施例ではキャリア等のサービス運営側によって制作されたサイトを使用しても良い。
【００５１】
上記専用プログラムを起動させると、スタッフは、店舗の情報を入力した後、ユーザに操作部を渡して図２の登録処理で取得されたＩＤ及びパスワードを入力させる（Ｓ３２）。なお、本実施例２の携帯端末貸し出しサービスをユーザがより快適に利用できるよう、図２の登録処理後、サービス運営側が、当該処理で発行されたＩＤ及びパスワードの情報を有したＩＤカードを当該ユーザに付与するようにしても良い。この場合、ＩＤ及びパスワードの入力は、端末ＰＣ１に接続されたカードリーダ等によって実行される。従ってユーザは、スタッフにＩＤカードを渡すだけで良く、ＩＤやパスワードを忘れた場合であっても当サービスを受けることができる。
【００５２】
店舗の情報とＩＤ及びパスワードが入力されて所定の操作により端末ＰＣ１からサーバ１０ｙに送信されると（Ｓ３３）、サーバ１０ｙの制御部１１ｙは、これらの受信されたＩＤ及びパスワードに基づいて携帯端末データベース１３ｙを参照し、パスワード認証を実行する（Ｓ３４）。ここで、受信されたＩＤ及びパスワードが正しいものでないと判定した場合、制御部１１ｙは、パスワード認証に失敗したことを通知するデータを端末ＰＣ１に送信する（Ｓ３４：ＮＯ）。これにより、端末ＰＣ１のモニタに（不図示）、認証失敗の通知と共にＩＤ及びパスワードの再入力を要求する画像が表示される。ＩＤ及びパスワードを再入力して（Ｓ３５）送信すると（Ｓ３３）、制御部１１は、Ｓ３４の認証処理を再実行する。
【００５３】
また、受信されたＩＤ及びパスワードが正しいものであると判定した場合（Ｓ３４：ＹＥＳ）、サーバ１０ｙの制御部１１ｙは、パスワード認証成功と判断し、受信された店舗の情報に基づいて貸出用データベース１４ｙを参照し、該当する貸出用携帯端末に関するデータを抽出する（Ｓ３６）。そして所定のアルゴリズムによって抽出データを参照して在庫の携帯端末の一つを選択し（Ｓ３７）、そのデータを端末ＰＣ１に送信する（Ｓ３８）。
【００５４】
Ｓ３８の処理で送信され得るデータには、例えば当ユーザに貸し出される予定の携帯端末の製造番号が含まれている。スタッフは、送信された製造番号を参照し、該当する携帯端末を取り出して端末ＰＣ１にケーブル等で接続する。そして端末ＰＣ１を操作し、接続した旨を通知する信号をサーバ１０ｙに送信する（Ｓ３９）。
【００５５】
なお、貸し出される携帯端末をユーザが任意に選択できるようにしても良い。この場合、サーバ１０ｙの制御部１１ｙが、例えばＳ３６の処理で抽出された貸出用携帯端末に関するデータを、Ｓ３７の選択処理を実行することなく端末ＰＣ１に送信する。そしてユーザに、端末ＰＣ１側で当店舗の貸出用携帯端末の在庫一覧を閲覧させ、いずれか一つを選択させる。そしてユーザに選択された携帯端末を端末ＰＣ１に接続し、Ｓ３９の如き処理においてその携帯端末の情報と共に接続通知を送信する。
【００５６】
Ｓ３９の処理において接続通知が送信されると、サーバ１０ｙの制御部１１ｙは、受信されたＩＤ及びパスワードに基づいて携帯端末データベース１３ｙを再び参照し、該当する「携帯端末データ」を抽出して端末ＰＣ１に送信する（Ｓ４０）。そして携帯端末データベース１３ｙ及び貸出用データベース１４ｙを更新する（Ｓ４１）。なお、携帯端末データベース１３ｙでは、当ユーザが借りた携帯端末の製造番号や貸し出し／返却予定日時等が、当ユーザに関する情報として記録される。また、貸出用データベース１４ｙでは、貸し出された携帯端末の製造番号の記録や、在庫の携帯端末の数及び機種等が更新される。
【００５７】
サーバ１０ｙから「携帯端末データ」がダウンロードされると、そのデータは、端末ＰＣ１に記録されることなく、それに接続された貸出用携帯端末に直接記録される。これにより、ユーザは、自宅に置き忘れた携帯端末と実質的に同一又は同様のデータを有した携帯端末を持つことができる。
【００５８】
以上が本発明の実施例である。なお、本発明は上記実施例に限定されるものではなく様々な範囲で変形が可能である。
【図面の簡単な説明】
【００５９】
【図１】本発明の実施例１の携帯端末データ預かりシステムの構成を示した図である。
【図２】本発明の実施例１の携帯端末データ預かりシステムにおいて実行される登録処理を示した図である。
【図３】本発明の実施例１の携帯端末データ預かりシステムにおいて実行されるアップロード処理を示した図である。
【図４】本発明の実施例１の携帯端末データ預かりシステムにおいて実行されるダウンロード処理を示した図である。
【図５】本発明の実施例２の携帯端末貸し出しシステムの構成を示した図である。
【図６】本発明の実施例２の携帯端末貸し出しシステムにおいて実行され得る携帯端末貸し出しサービスの流れを示した図である。
【符号の説明】
【００６０】
１０、１０ｙ  サーバ
１１、１１ｙ  制御部
１２、１２ｙ  メモリ
１３、１３ｙ  携帯端末データベース
１４ｙ  貸出用データベース
５０  通信網
Ｍ１〜Ｍｎ  携帯端末
ＰＣ１〜ＰＣｍ  端末
Ｒ１〜Ｒｚ  貸出用携帯端末
１００  携帯端末データ預かりシステム
２００  携帯端末貸し出しシステム
【図１】
2006203512.tif 000003
【図２】
2006203512.tif 000004
【図３】
2006203512.tif 000005
【図４】
2006203512.tif 000006
【図５】
2006203512.tif 000007
【図６】
2006203512.tif 000008